(57)【要約】【課題】映像表示装置において、ユーザが、映像信号の入力元の機器を映像再生装置から他の機器に切り換えた後に、入力元の機器を映像再生装置に戻したときに、映像再生装置からの映像の視聴を、直ぐに前回視聴していた位置から再開できるようにする。【解決手段】ユーザが、映像信号の入力元の機器をＢＤプレーヤ２から他の機器に切り換えたときに（Ｓ１）、映像の再生を開始させるための＜Ｕｓｅｒ  Ｃｏｎｔｒｏｌ  Ｐｒｅｓｓｅｄ＞［Ｐｌａｙ］をＢＤプレーヤ２に送信した後（Ｓ３）、このコマンドに対するＢＤプレーヤ２からのレスポンスの受信を待たずに、ＢＤプレーヤ２に対して、＜Ｕｓｅｒ  Ｃｏｎｔｒｏｌ  Ｐｒｅｓｓｅｄ＞［Ｓｔｏｐ］を送信する（Ｓ５）。これにより、＜Ａｃｔｉｖｅ  Ｓｏｕｒｃｅ＞を受信しても映像信号の再生を続けるＢＤプレーヤも、レジュームＳｔｏｐ状態にできる（Ｓ６）。【選択図】図２
2013005407.tif 000002
【特許請求の範囲】
【請求項１】
映像再生装置を含む外部接続機器と接続され、
前記映像再生装置を含む外部接続機器から映像信号を受信すると共に、これらの外部接続機器に対してコマンドの送受信を行う通信手段と、
前記通信手段により受信した映像信号に基づく映像を表示可能な表示手段とを備えた映像表示装置において、
前記映像再生装置から前記通信手段により受信した映像信号に基づく映像を前記表示手段に表示しているときに、前記映像再生装置以外の外部接続機器が映像信号の入力元の機器になった旨を通知するための入力元通知コマンドを前記通信手段によって受信した場合、又は該映像表示装置自体が映像信号の入力元の機器になった旨を通知するための入力元通知コマンドを前記通信手段によって前記映像再生装置に送信した場合に、映像の再生を開始させるための再生コマンドを前記映像再生装置に前記通信手段により送信した後、前記再生コマンドに対する前記映像再生装置からのレスポンスの受信を待たずに、前記映像再生装置に対して、再生停止位置を示すデータを記憶させた上で再生を停止させるための停止コマンドを前記通信手段により送信するように制御する映像再生装置停止制御手段をさらに備えたことを特徴とする映像表示装置。
【請求項２】
前記映像再生装置を含む外部接続機器とＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）で接続されていることを特徴とする請求項１に記載の映像表示装置。
【請求項３】
前記入力元通知コマンドは、ＣＥＣ（Ｃｏｎｓｕｍｅｒ  Ｅｌｅｃｔｒｏｎｉｃｓ  Ｃｏｎｔｒｏｌ）コマンドの一種である＜Ａｃｔｉｖｅ  Ｓｏｕｒｃｅ＞であり、前記再生コマンドは、ＣＥＣコマンドの一種である＜Ｕｓｅｒ  Ｃｏｎｔｒｏｌ  Ｐｒｅｓｓｅｄ＞［Ｐｌａｙ］であり、前記停止コマンドは、ＣＥＣコマンドの一種である＜Ｕｓｅｒ  Ｃｏｎｔｒｏｌ  Ｐｒｅｓｓｅｄ＞［Ｓｔｏｐ］であることを特徴とする請求項２に記載の映像表示装置。
【発明の詳細な説明】
【技術分野】
【０００１】
本発明は、映像再生装置に接続され、映像再生装置から受信した映像信号に基づく映像を表示可能なテレビジョン受像機等の映像表示装置に関する。
【背景技術】
【０００２】
現在、市場で一般的に販売されているＡＶ（Ａｕｄｉｏ  Ｖｉｓｕａｌ）機器の中には、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）端子を有する（ＨＤＭＩ接続可能な）機器が多い。これらのＨＤＭＩ接続可能なＡＶ機器の中には、「○○リンク」と呼ばれるＨＤＭＩ−ＣＥＣ（Ｈｉｇｈ  Ｄｅｆｉｎｉｔｉｏｎ  Ｍｕｌｔｉｍｅｄｉａ  Ｉｎｔｅｒｆａｃｅ−Ｃｏｎｓｕｍｅｒ  Ｅｌｅｃｔｒｏｎｉｃｓ  Ｃｏｎｔｒｏｌ）を利用した機器間の連携機能を有しているものが多い。ここで、ＨＤＭＩ−ＣＥＣとは、あるＡＶ機器（例えば、テレビジョン受像機（以下、ＴＶ受像機という）やＢＤ（Ｂｌｕ−ｒａｙ  Ｄｉｓｃ）プレーヤ）から、ＨＤＭＩケーブルで接続された他のＡＶ機器を操作する機能の規格である。
【０００３】
しかしながら、ＨＤＭＩ−ＣＥＣの規格は、緩やかな規格であり、必要最小限の機能さえ満たしていれば、その他の機能や動作については、メーカ毎に自由に仕様を定めてよいため、他のＡＶ機器から同じＣＥＣコマンドを受信した場合に、各メーカの各ＡＶ機器（の種類）毎に異なる動作を行うことが多い。
【０００４】
ＣＥＣコマンドの中の代表的なコマンドとして、＜Ａｃｔｉｖｅ  Ｓｏｕｒｃｅ＞というコマンドがある。このコマンドは、自機が映像信号の入力元の機器になった（Ａｃｔｉｖｅな機器になった）旨を、他のＨＤＭＩ接続されている機器に通知するための入力元通知コマンドであり、現在テレビジョン受像機等の映像表示機器が、どの外部接続機器から入力された映像・音声信号に基づく映像及び音声を出力しているかを、映像信号の入力元の機器が他のＨＤＭＩ接続されている機器に知らせるために使用される。
【０００５】
例えば、図３（ａ）に示されるように、ＴＶ受像機１０１が、自機のチューナから入力された映像信号に基づく映像を表示しているときに、ＨＤＭＩ接続されたＢＤプレーヤ１０２側で、ユーザが、リモコン１０２のＰｌａｙキー１５１を押下すると、ＢＤプレーヤ１０２は、ＨＤＭＩ接続された全ての接続機器（図３（ａ）の例ではＴＶ受像機１０１のみ）に対して、＜Ａｃｔｉｖｅ  Ｓｏｕｒｃｅ＞のコマンドをブロードキャスト（一斉送信）する。そして、ＴＶ受像機１０１は、Ａｃｔｉｖｅな機器になったＢＤプレーヤ１０２からの映像信号に基づく映像を表示するために、映像信号の入力元の機器を、自機のチューナから、自機のＨＤＭＩ１端子（1つ目のＨＤＭＩ端子）に接続されたＢＤプレーヤ１０２に切り換える。
【０００６】
上記の映像信号の入力元の機器がＢＤプレーヤ１０２になった状態において（ＴＶ受像機１０１がＢＤプレーヤ１０２から受信した映像信号に基づく映像を表示しているときに）、図３（ｂ）に示されるように、ユーザが、リモコン１２１の入力切換キー１２９を操作して、映像信号の入力元の機器を、再度ＴＶ受像機１０１のチューナに切り換えた場合、ＴＶ受像機１０１は、自機がＡｃｔｉｖｅな機器になるために、ＢＤプレーヤ１０２を含む全ての外部接続機器に対して、＜Ａｃｔｉｖｅ  Ｓｏｕｒｃｅ＞を送信（ブロードキャスト）する。ＨＤＭＩ−ＣＥＣの規格では、＜Ａｃｔｉｖｅ  Ｓｏｕｒｃｅ＞を受信した外部接続機器（例えば、ＴＶ受像機１０１から送信された＜Ａｃｔｉｖｅ  Ｓｏｕｒｃｅ＞を受信したＢＤプレーヤ１０２）は、自機がＡｃｔｉｖｅな状態でなくなったことを認識しなければならないとしか定められていない。このため、図３（ｂ）に示されるように、ＴＶ受像機１０１から＜Ａｃｔｉｖｅ  Ｓｏｕｒｃｅ＞を受信したときに、ある機種のＢＤプレーヤ１０２は記録媒体（ＢＤのディスク）に記録された映像信号の再生を続け、別の機種のＢＤプレーヤ１０２は一時停止状態になり、さらに別の機種のＢＤプレーヤ１０２は、Ｓｔｏｐキーが押されたときと同じように、レジュームＳｔｏｐ機能が動作して、再生停止位置を示すデータを記憶した上で再生を停止する（レジュームＳｔｏｐ状態になる）ということが起こる。
【０００７】
上記のように、他の外部接続機器（例えばＴＶ受像機１０１）から＜Ａｃｔｉｖｅ  Ｓｏｕｒｃｅ＞を受信したときの動作が、ＢＤプレーヤ１０２（映像再生装置）の機種（型番）毎に異なるため、＜Ａｃｔｉｖｅ  Ｓｏｕｒｃｅ＞を受信しても記録媒体に記録された映像信号の再生を続ける（映像信号の再生を停止又は一時停止しない）ＢＤプレーヤ１０２については、ユーザが、映像信号の入力元の機器をＴＶ受像機１０１のチューナに切り換える前に、手動でＢＤプレーヤ１０２による映像信号の再生を停止又は一時停止させなければ、再度ＢＤプレーヤ１０２から入力された（ＢＤプレーヤ１０２で再生された）映像信号に基づく映像をＴＶ受像機１０１に表示させたときに、直ぐに（巻き戻すことなく）、前回視聴を停止した位置（前回の再生停止位置）から映像の視聴を再開することが困難になる。この問題は、ＴＶ受像機１０１がＢＤプレーヤ１０２から受信した映像信号に基づく映像を表示しているときに、ＴＶ受像機１０１及びＢＤプレーヤ１０２が、ＴＶ受像機１０１以外の外部接続機器から＜Ａｃｔｉｖｅ  Ｓｏｕｒｃｅ＞を受信した場合にも起こり得る。
【０００８】
これに対して、映像表示装置と映像再生装置とを含む映像再生表示システムにおいて、映像入力の切り換え操作が行われると、映像表示装置が、映像再生装置に対して、映像再生装置の再生状態を示す状態通知の情報の送信を要求するコマンドを送信して、映像表示装置の制御部によって、映像再生装置の状態及び入力切換が、「再生中、かつＨＤＭＩ接続されている映像再生装置の選択が解除された」と判別された場合に、映像表示装置が、映像再生装置に対して、「停止または一時停止のコマンドを発効」して送信するようにしたものが知られている（特許文献１参照）。この映像再生表示システムによれば、映像表示装置への映像信号の入力元の機器が自機（映像再生装置）から他の機器に切り換えられても、記録媒体に記録された映像信号の再生を続けるプレーヤについても、ユーザが、手動で映像信号の再生を停止又は一時停止させる必要がなくなる。
【０００９】
けれども、上記特許文献１に示される映像再生表示システムでは、映像表示装置が、映像再生装置に対して、映像再生装置の状態通知の情報の送信を要求するコマンドを送信して、そのレスポンス（状態通知の情報）を受信してから停止又は一時停止のコマンドを映像再生装置に送信するので、映像再生装置を停止又は一時停止させるまでに時間がかかってしまう。従って、ユーザが前回視聴を終了した位置（映像信号の入力元の機器を他の機器に切り換えた時点の再生位置）と、映像再生装置における実際の再生停止位置とのずれが大きくなってしまう。また、上記特許文献１に示される映像再生表示システムでは、状態通知の情報の送信を要求するコマンド、停止又は一時停止のコマンド、及び再生開始のコマンドに、一般的ではない（コマンドに対応可能な機種が少ない）Ｄｅｃｋ  Ｃｏｎｔｒｏｌコマンド又はベンダーコマンドが使用されているため、映像表示装置と映像再生装置とが異なるメーカの機器である場合には、映像表示装置が、映像再生装置に対して、上記のような制御を行えないことが多い。
【先行技術文献】
【特許文献】
【００１０】
【特許文献１】特開２０１０−２１８８０号公報
【発明の概要】
【発明が解決しようとする課題】
【００１１】
本発明は、上記課題を解決するものであり、映像再生装置から受信した映像信号に基づく映像を表示しているときに、映像信号の入力元の機器が切り換えられた場合に、映像再生装置を自動的にレジュームＳｔｏｐ状態にすることができるようにして、ユーザが、再度、入力元の機器を映像再生装置に切り換えたときに、直ぐに前回視聴していた位置から映像の視聴を再開することが可能な映像表示装置を提供することを目的とする。
【課題を解決するための手段】
【００１２】
上記課題を解決するために、請求項1の発明は、映像再生装置を含む外部接続機器と接続され、前記映像再生装置を含む外部接続機器から映像信号を受信すると共に、これらの外部接続機器に対してコマンドの送受信を行う通信手段と、前記通信手段により受信した映像信号に基づく映像を表示可能な表示手段とを備えた映像表示装置において、前記映像再生装置から前記通信手段により受信した映像信号に基づく映像を前記表示手段に表示しているときに、前記映像再生装置以外の外部接続機器が映像信号の入力元の機器になった旨を通知するための入力元通知コマンドを前記通信手段によって受信した場合、又は該映像表示装置自体が映像信号の入力元の機器になった旨を通知するための入力元通知コマンドを前記通信手段によって前記映像再生装置に送信した場合に、映像の再生を開始させるための再生コマンドを前記映像再生装置に前記通信手段により送信した後、前記再生コマンドに対する前記映像再生装置からのレスポンスの受信を待たずに、前記映像再生装置に対して、再生停止位置を示すデータを記憶させた上で再生を停止させるための停止コマンドを前記通信手段により送信するように制御する映像再生装置停止制御手段をさらに備えたものである。
【００１３】
請求項２の発明は、請求項１に記載の映像表示装置において、前記映像再生装置を含む外部接続機器とＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）で接続されているものである。
【００１４】
請求項３の発明は、請求項２に記載の映像表示装置において、前記入力元通知コマンドを、ＣＥＣ（Ｃｏｎｓｕｍｅｒ  Ｅｌｅｃｔｒｏｎｉｃｓ  Ｃｏｎｔｒｏｌ）コマンドの一種である＜Ａｃｔｉｖｅ  Ｓｏｕｒｃｅ＞とし、前記再生コマンドを、ＣＥＣコマンドの一種である＜Ｕｓｅｒ  Ｃｏｎｔｒｏｌ  Ｐｒｅｓｓｅｄ＞［Ｐｌａｙ］とし、前記停止コマンドを、ＣＥＣコマンドの一種である＜Ｕｓｅｒ  Ｃｏｎｔｒｏｌ  Ｐｒｅｓｓｅｄ＞［Ｓｔｏｐ］としたものである。
【発明の効果】
【００１５】
請求項１の発明によれば、映像再生装置から受信した映像信号に基づく映像を表示手段に表示しているときに、ユーザによって映像信号の入力元の機器が切り換えられて、映像表示装置が映像再生装置以外の外部接続機器から入力元通知コマンドを受信したか、又は映像表示装置自体が入力元通知コマンドを映像再生装置に送信した場合、映像の再生を開始させるための再生コマンドを映像再生装置に送信した後、再生コマンドに対する映像再生装置からのレスポンスの受信を待たずに、映像再生装置に対して、再生停止位置を示すデータを記憶させた上で再生を停止させるための停止コマンドを送信するように制御する。
【００１６】
上記のように制御することにより、入力元通知コマンド（例えば、ＣＥＣコマンドにおける＜Ａｃｔｉｖｅ  Ｓｏｕｒｃｅ＞）を受信しても映像信号の再生を続ける映像再生装置については、映像表示装置から再生コマンドを受信したときには、これを無視して再生を続け、映像表示装置から停止コマンドを受信したときに、再生停止位置を示すデータを記憶した上で再生を停止する（レジュームＳｔｏｐ状態になる）。また、入力元通知コマンドを受信すると映像信号の再生を停止又は一時停止する映像再生装置については、映像表示装置から再生コマンドを受信したときには、再生を開始し、映像表示装置から停止コマンドを受信したときに、再生停止位置を示すデータを記憶した上で再生を停止する（レジュームＳｔｏｐ状態になる）。ここで、映像表示装置が映像再生装置に一旦再生コマンドを送信してから停止コマンドを送信する理由は、入力元通知コマンドを受信すると映像信号の再生を停止する映像再生装置については、既に入力元通知コマンドを受信した時点でレジュームＳｔｏｐ状態になっており、レジュームＳｔｏｐ状態になっている映像再生装置に停止コマンドを送信すると、映像再生装置が、レジュームＳｔｏｐ状態ではなく、完全なＳｔｏｐ状態（再生停止位置を示すデータを記憶しておらず、再生コマンドを受信したときに記録媒体に記録された映像データの先頭から再生を開始する状態）になってしまうからである。
【００１７】
上記のように、請求項１の映像表示装置によれば、映像再生装置から受信した映像信号に基づく映像を表示しているときに、この映像信号の入力元の機器が切り換えられた場合に、映像再生装置を自動的にレジュームＳｔｏｐ状態にすることができるので、ユーザが、再度、入力元の機器を映像再生装置に切り換えたときに、映像再生装置による映像信号の再生を、映像再生装置側に記録させたデータで示される前回の再生停止位置から再開させることができる。これにより、ユーザが、直ぐに（前回の再生停止位置をサーチすることなく）、前回視聴していた位置から映像の視聴を再開することができる。
【００１８】
また、請求項１の映像表示装置によれば、再生コマンドに対する映像再生装置からのレスポンスの受信を待たずに、映像再生装置に対して停止コマンドを送信するようにしたので、上記特許文献１に示されるように、映像再生装置に対して状態通知の情報の送信を要求するコマンドを送信して、そのコマンドに対するレスポンス（状態通知の情報）を受信してから停止又は一時停止のコマンドを映像再生装置に送信するようにした場合と比べて、ユーザが前回視聴を終了した位置と、映像再生装置における実際の再生停止位置とのずれを小さくすることができる。
【００１９】
請求項２の発明によれば、映像再生装置を含む外部接続機器と本映像表示装置とをＨＤＭＩ接続した構成において、上記に記載の効果を的確に得ることができる。
【００２０】
請求項３の発明によれば、上記の入力元通知コマンド、再生コマンド、及び停止コマンドとして、それぞれＣＥＣの代表的なコマンドである＜Ａｃｔｉｖｅ  Ｓｏｕｒｃｅ＞、＜Ｕｓｅｒ  Ｃｏｎｔｒｏｌ  Ｐｒｅｓｓｅｄ＞［Ｐｌａｙ］、及び＜Ｕｓｅｒ  Ｃｏｎｔｒｏｌ  Ｐｒｅｓｓｅｄ＞［Ｓｔｏｐ］を用いたことにより、上記特許文献１に示される映像再生表示システムのようにＤｅｃｋ  Ｃｏｎｔｒｏｌコマンドやベンダーコマンドを用いた場合と異なり、映像表示装置と映像再生装置とが異なるメーカの機器である場合でも、上記に記載の効果を得ることができる。
【図面の簡単な説明】
【００２１】
【図１】本発明の一実施形態に係るＴＶ受像機を含むＡＶシステムの電気的ブロック構成図。
【図２】同ＴＶ受像機におけるＢＤプレーヤに対する停止制御処理のチャート図。
【図３】（ａ）は、従来のＴＶ受像機において、映像信号の入力元を自機のチューナからＢＤプレーヤに切り換えた場合におけるＴＶ受像機とＢＤプレーヤの処理の説明図、（ｂ）は、従来のＴＶ受像機において、映像信号の入力元をＢＤプレーヤから再度自機のチューナに切り換えた場合におけるＴＶ受像機とＢＤプレーヤの処理の説明図。
【発明を実施するための形態】
【００２２】
以下、本発明の一実施形態について、図面を参照して説明する。以下の実施形態では、本発明を液晶ディジタルテレビジョン受像機に適用した場合の例について説明する。なお、以下に記載した実施形態は、本発明を網羅するものではなく、本発明は、下記の形態だけに限定されない。
【００２３】
図１は、本実施形態による映像表示装置である液晶ディジタルテレビジョン受像機（以下、ＴＶ受像機という）を含むＡＶ（Ａｕｄｉｏ  ａｎｄ  Ｖｉｓｕａｌ）システムを示す。このＡＶシステム１０は、ＴＶ受像機１と、ＢＤ（Ｂｌｕ−ｒａｙ  Ｄｉｓｃ）プレーヤ２（映像再生装置）とから構成されている。ＴＶ受像機１とＢＤプレーヤ２との間は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル３でＨＤＭＩ接続されている。
【００２４】
図に示されるように、ＴＶ受像機１は、装置全体の制御を行うＣＰＵ１１（映像再生装置停止制御手段）を備えている。また、ＴＶ受像機１は、アンテナ４を介してディジタルテレビジョン放送信号（トランスポートストリーム）を受信するためのチューナ１２と、チューナ１２で受信したトランスポートストリーム中のパケットをデコードすることにより、映像ストリーム、音声ストリーム、データストリームを生成する（ＭＰＥＧ）デコーダ１３とを備えている。
【００２５】
また、ＴＶ受像機１は、デコーダ１３で生成された映像・音声ストリーム、又はＨＤＭＩレシーバ２５で受信したＨＤＭＩ信号に含まれる映像・音声信号を、選択的に映像信号処理回路１５及び音声信号処理回路１８に出力することにより、映像・音声信号の入力元の機器を切り換える入力切換部１４を備えている。入力切換部１４は、ユーザがリモコン２１を用いて行った切換操作の内容に応じた制御信号を、リモコン信号受信部２２を介してＣＰＵ１１から受信して、受信した制御信号の内容に応じた、映像信号の入力元の機器の切り換えを行う。
【００２６】
また、ＴＶ受像機１は、入力切換部１４から出力された映像信号に対して画像処理等の各種の処理を施して、これらの処理後の映像信号を再生する映像信号処理回路１５と、映像信号処理回路１５から受信した映像信号に基づいて表示用電極を駆動する電極駆動回路１６と、映像信号処理回路１５による信号処理後の映像信号に基づく映像を表示する液晶表示パネル１７（表示手段）とを備えている。
【００２７】
さらにまた、ＴＶ受像機１は、入力切換部１４を介して入力された音声信号に対して、Ｄ／Ａ変換処理を含む各種の音声信号処理を行う音声信号処理回路１８と、音声信号処理回路１８から出力された音声信号を増幅するアンプ１９と、アンプ１９で増幅された音声信号（駆動信号）に駆動されて音声を出力する内蔵の本体スピーカ２０とを備えている。
【００２８】
上記のＴＶ受像機１は、ユーザからの指示操作に応じたリモートコントロール信号（以下、リモコン信号と略す）を送信するリモートコントローラ（以下、リモコンと略す）２１を有しており、ＴＶ受像機１の本体側には、リモコン２１からのリモコン信号を受信するためのリモコン信号受信部２２が設けられている。上記のリモコン２１には、映像信号の入力元の機器を切り換えるための指示操作キーである入力切換キー２９が設けられている。また、ＴＶ受像機１は、制御プログラム２４を含む各種のデータを記憶するためのメモリ２３を有している。
【００２９】
また、ＴＶ受像機１は、ＢＤプレーヤ２等の外部接続機器から出力されたＨＤＭＩ信号（映像信号と音声信号を含む）を受信すると共に、ＢＤプレーヤ２等の外部接続機器に対してＣＥＣ（Ｃｏｎｓｕｍｅｒ  Ｅｌｅｃｔｒｏｎｉｃｓ  Ｃｏｎｔｒｏｌ）コマンド（レスポンスを含む）の送受信を行うＨＤＭＩレシーバ２５（通信手段）を有している。ＨＤＭＩレシーバ２５には、２つの外部機器接続用の端子（ＨＤＭＩ１端子２６、及びＨＤＭＩ２端子２７）が設けられており、１つ目の端子であるＨＤＭＩ１端子２６には、ＢＤプレーヤ２が接続されている。
【００３０】
一方、ＢＤプレーヤ２は、装置全体の制御を行うＣＰＵ３１と、制御プログラム３３や、前回の再生停止時の再生停止位置を示すデータである再生停止位置データ３４を含む各種のデータを記憶するメモリ３２とを備えている。また、ＢＤプレーヤ１は、ＢＤに光を照射して得られる反射光を読み取り光として電気信号に変換する光ピックアップユニット（Ｏｐｔｉｃａｌ  Ｐｉｃｋｕｐ  Ｕｎｉｔ：以下、「ＯＰＵ」という）３５と、このＯＰＵ３５とＢＤとを駆動することにより、ＢＤに記録されたデータを読み出すディスクドライブ３６とを備えている。
【００３１】
また、ＢＤプレーヤ２は、ディスクドライブ３６で読み出された映像、音声等のデータをデコードして、映像信号（ディジタル・ビデオ信号）と音声信号（ディジタル・オーディオ信号）とを生成するデコーダ３７と、ＨＤＭＩの規格に応じた通信により映像信号、音声信号、及びＣＥＣコマンド（レスポンスを含む）を送信するためのインタフェース回路であるＨＤＭＩトランスミッタ３８を有している。ＨＤＭＩトランスミッタ３８には、外部機器接続用の端子であるＨＤＭＩ端子３９が設けられており、このＨＤＭＩ端子３９には、ＴＶ受像機１が接続されている。
【００３２】
また、ＢＤプレーヤ２は、各種のメッセージ等を表示するための表示部４０と、ユーザからの指示操作に応じたリモコン信号を送信するリモコン４２とを有しており、ＴＶ受像機１の本体側には、リモコン４２からのリモコン信号を受信するためのリモコン信号受信部４１が設けられている。
【００３３】
次に、図２のチャート図を参照して、ＴＶ受像機１において、ユーザが映像信号の入力元の機器をＢＤプレーヤ２から他の機器（他の外部接続機器又はＴＶ受像機１自体のチューナ１２）に切り換えた場合に、ＴＶ受像機１がＢＤプレーヤ２に対して行う停止制御処理について説明する。例えば、ユーザが、リモコン２１の入力切換キー２９を操作して、映像信号の入力元の機器をＢＤプレーヤ２からＴＶ受像機１自体のチューナ１２に切り換えた場合、ＴＶ受像機１のＣＰＵ１１は、制御プログラム２４に基づき、自機がＡｃｔｉｖｅな機器になる（Ａｃｔｉｖｅな機器になったことを知らせる）ために、ＢＤプレーヤ２に対して、ＣＥＣコマンドの一種である＜Ａｃｔｉｖｅ  Ｓｏｕｒｃｅ＞を送信（ブロードキャスト）する（Ｓ１）。この＜Ａｃｔｉｖｅ  Ｓｏｕｒｃｅ＞を受信すると、ある機種のＢＤプレーヤ２は記録媒体（ＢＤのディスク）に記録された映像信号の再生を続け、別の機種のＢＤプレーヤ２は一時停止状態になり、さらに別の機種のＢＤプレーヤ２は、Ｓｔｏｐキーが押されたときと同じように、レジュームＳｔｏｐ機能が動作して、メモリ３２に再生停止位置データ３４を記憶した上で再生を停止する（レジュームＳｔｏｐ状態になる）（Ｓ２）。
【００３４】
次に、ＴＶ受像機１のＣＰＵ１１は、映像の再生を開始させるためのＣＥＣコマンドである＜Ｕｓｅｒ  Ｃｏｎｔｒｏｌ  Ｐｒｅｓｓｅｄ＞［Ｐｌａｙ］（以下、Ｐｌａｙコマンドと略す：請求項における再生コマンド）をＨＤＭＩレシーバ２５によりＢＤプレーヤ２に送信した後（Ｓ３）、このコマンドに対するＢＤプレーヤ２からのレスポンスの受信を待たずに、ＢＤプレーヤ２に対して、再生停止位置を示すデータ（再生停止位置データ３４）を記憶させた上で再生を停止させるためのＣＥＣコマンドである＜Ｕｓｅｒ  Ｃｏｎｔｒｏｌ  Ｐｒｅｓｓｅｄ＞［Ｓｔｏｐ］（以下、Ｓｔｏｐコマンドと略す：請求項における停止コマンド）をＨＤＭＩレシーバ２５により送信する（Ｓ５）。なお、＜Ｕｓｅｒ  Ｃｏｎｔｒｏｌ  Ｐｒｅｓｓｅｄ＞は、リモコンのキーの内容を送信するコマンドで、例えば、ＴＶ受像機１から＜Ｕｓｅｒ  Ｃｏｎｔｒｏｌ  Ｐｒｅｓｓｅｄ＞［Ｐｌａｙ］が送られると、ＢＤプレーヤ２は、自機の（本体操作部又はリモコン４２に設けられた）Ｐｌａｙキーが押されたときと同じ動作を行う。
【００３５】
上記のように制御することにより、＜Ａｃｔｉｖｅ  Ｓｏｕｒｃｅ＞を受信しても映像信号の再生を続けるＢＤプレーヤ２については、ＴＶ受像機１からＰｌａｙコマンドを受信したときには、これを無視して再生を続け（Ｓ４）、ＴＶ受像機１からＳｔｏｐコマンドを受信したときには、再生停止位置データ３４をメモリ３２に記憶した上で再生を停止する（レジュームＳｔｏｐ状態になる）（Ｓ６）。また、＜Ａｃｔｉｖｅ  Ｓｏｕｒｃｅ＞を受信すると映像信号の再生を停止又は一時停止するＢＤプレーヤ２については、ＴＶ受像機１からＰｌａｙコマンドを受信したときには、再生を開始し（Ｓ４）、ＴＶ受像機１からＳｔｏｐコマンドを受信したときには、再生停止位置データ３４をメモリ３２に記憶した上で再生を停止する（レジュームＳｔｏｐ状態になる）（Ｓ６）。
【００３６】
ここで、ＴＶ受像機１がＢＤプレーヤ２に一旦Ｐｌａｙコマンドを送信してからＳｔｏｐコマンドを送信する理由は、＜Ａｃｔｉｖｅ  Ｓｏｕｒｃｅ＞を受信すると映像信号の再生を停止するＢＤプレーヤ２については、既に＜Ａｃｔｉｖｅ  Ｓｏｕｒｃｅ＞を受信した時点でレジュームＳｔｏｐ状態になっており、レジュームＳｔｏｐ状態になっているＢＤプレーヤ２にさらにＳｔｏｐコマンドを送信すると、ＢＤプレーヤ２が、レジュームＳｔｏｐ状態ではなく、完全なＳｔｏｐ状態（再生停止位置データ３４をメモリ３２に記憶しておらず、Ｐｌａｙコマンドを受信したときに、ＢＤに記録された映像データの先頭から再生を開始する状態）になってしまうからである。
【００３７】
上記の説明では、ユーザがＴＶ受像機１の映像信号の入力元の機器をＢＤプレーヤ２からＴＶ受像機１自体のチューナ１２に切り換えた場合の例について説明したが、ユーザがＴＶ受像機１の映像信号の入力元の機器をＢＤプレーヤ２からＴＶ受像機１以外の外部接続機器に切り換えた場合には、上記Ｓ１において、＜Ａｃｔｉｖｅ  Ｓｏｕｒｃｅ＞の送信元の機器が、ＴＶ受像機１（のチューナ１２）ではなく、新たに入力元の機器になる外部接続機器になるだけであり、Ｓ２乃至Ｓ６の処理については、上記図２と同様である。
【００３８】
上記のように、本実施形態のＴＶ受像機１によれば、ＢＤプレーヤ２から受信した映像信号に基づく映像を表示しているときに、この映像信号の入力元の機器が切り換えられた場合に、ＢＤプレーヤ２を自動的にレジュームＳｔｏｐ状態にすることができるので、ユーザが、再度、入力元の機器をＢＤプレーヤ２に切り換えたときに、ＢＤプレーヤ２による映像信号の再生を、ＢＤプレーヤ２側のメモリ３２に記録させた再生停止位置データ３４で示される前回の再生停止位置から再開させることができる。これにより、ユーザが、直ぐに（前回の再生停止位置をサーチすることなく）、ＢＤプレーヤ２からの映像の視聴を、前回視聴していた位置から再開することができる。
【００３９】
また、本ＴＶ受像機１によれば、＜Ａｃｔｉｖｅ  Ｓｏｕｒｃｅ＞（のコマンド）及びＰｌａｙコマンドに対するＢＤプレーヤ２からのレスポンスの受信を待たずに、ＢＤプレーヤ２に対してＳｔｏｐコマンドを送信するようにしたので、上記特許文献１に示されるように、ＢＤプレーヤ２に対して状態通知の情報の送信を要求するコマンドを送信して、そのコマンドに対するレスポンス（状態通知の情報）を受信してから停止又は一時停止のコマンドをＢＤプレーヤ２に送信するようにした場合と比べて、ユーザが前回視聴を終了した位置と、ＢＤプレーヤ２における実際の再生停止位置とのずれを小さくすることができる。
【００４０】
また、本ＴＶ受像機１によれば、請求項１における入力元通知コマンド、再生コマンド、及び停止コマンドとして、それぞれＣＥＣの代表的なコマンドである＜Ａｃｔｉｖｅ  Ｓｏｕｒｃｅ＞、＜Ｕｓｅｒ  Ｃｏｎｔｒｏｌ  Ｐｒｅｓｓｅｄ＞［Ｐｌａｙ］、及び＜Ｕｓｅｒ  Ｃｏｎｔｒｏｌ  Ｐｒｅｓｓｅｄ＞［Ｓｔｏｐ］を用いたことにより、上記特許文献１に示される映像再生表示システムのようにＤｅｃｋ  Ｃｏｎｔｒｏｌコマンドやベンダーコマンドを用いた場合と異なり、映像表示装置と映像再生装置とが異なるメーカの機器である場合でも、上記に記載の効果を得ることができる。
【００４１】
なお、本発明は、上記実施形態の構成に限られず、発明の趣旨を変更しない範囲で種々の変形が可能である。例えば、上記実施形態では、映像表示装置が、チューナを有するＴＶ受像機である場合の例を示したが、映像表示装置は、チューナを有しないディスプレイ（液晶ディスプレイやプラズマディスプレイ）であってもよい。また、映像再生装置は、ＢＤプレーヤに限られず、ＢＤレコーダ、ＤＶＤレコーダ、ＤＶＤプレーヤ等であってもよい。さらにまた、上記実施形態では、ＡＶシステムが、ＴＶ受像機とＢＤプレーヤを含む場合の例を示したが、ＡＶシステムが、ＴＶ受像機等の映像表示装置に加えて、２つ以上の映像再生装置を含む構成であってもよい。
【符号の説明】
【００４２】
１    ＴＶ受像機（映像表示装置）
２    ＢＤプレーヤ（映像再生装置）
１１  ＣＰＵ（映像再生装置停止制御手段）
１７  液晶表示パネル（表示手段）
２５  ＨＤＭＩレシーバ（通信手段）
３４  再生停止位置データ（再生停止位置を示すデータ）
【図１】
2013005407.tif 000003
【図２】
2013005407.tif 000004
【図３】
2013005407.tif 000005